(57)【要約】【課題】  間接飲みと直接飲みのいずれかを選択して使用できるだけでなく、両栓体は部品点数の増大化を防止できるとともに構造の簡単化が図られ、さらに間接飲みと直接飲みの各操作が、使用者にとって簡単容易で確実に行なえ、使い勝手が良好な液体容器の栓を提供する。【解決手段】    容器本体１の栓孔３着脱自在に螺着される略筒状の栓本体２１と、この栓本体２１内に着脱自在に設けられて栓本体２１との間で栓内液通路２５，４９が形成される間接飲み用栓体の第１栓副体２３及び直接飲み用栓体の第２栓副体８３と、栓内液通路２５，４９を開閉する共通の弁体２７とを備え、栓本体２１に対して第１栓副体２３と第２栓副体８３とを差し替えることにより、間接飲み用栓体または直接飲み用栓体として選択使用できるとともに、弁体は第１栓副体２３及び第２栓副体８３に設けた弁開閉機構２８の操作により作動されて、栓内液通路が開閉されるように構成してある。【選択図】            図１
2004202273.tif 000002
【特許請求の範囲】
【請求項１】
容器本体の栓孔に着脱自在に螺着される略筒状の栓本体と、この栓本体内に着脱自在に設けられて栓本体との間で栓内液通路が形成される間接飲み用栓体の第１栓副体及び直接飲み用栓体の第２栓副体と、前記栓内液通路を開閉する共通の弁体とを備え、前記栓本体に対して第１栓副体と第２栓副体とを差し替えることにより、間接飲み用栓体または直接飲み用栓体として選択使用できるとともに、前記弁体は第１栓副体及び第２栓副体に設けた弁開閉機構の操作により作動されて、前記栓内液通路が開閉されるように構成してあることを特徴とする液体容器の栓。
【請求項２】
前記第１栓副体と第２栓副体には、上部に空室を底部に弁棒挿通穴を有するとともに、前記栓本体の空室下部にはガイド筒を立設し、このガイド筒の上部には第１栓副体と第２栓副体のいずれかを選択して取り付け、取り付けられた第１栓副体又は第２栓副体の弁棒挿通穴に前記弁体の弁棒部をバネにより常時上方に付勢して臨ませ、閉弁時には弁体により栓内液通路の下部が閉弁され、前記弁開閉機構の開閉操作により栓内液通路を自動的に開閉されるようにしてなる請求項１に記載の液体容器の栓。
【発明の詳細な説明】
【技術分野】
【０００１】  本発明は、携帯用魔法瓶、卓上用魔法瓶、水筒等の液体容器において、同一の容器本体の栓孔に異なる二種類の栓体を差し替えることにより、用途の異なる二種類の栓体を備えた液体容器の栓に関する。
【背景技術】
【０００２】  従来より、この種の液体容器用の栓では、（イ）  容器本体を傾斜して栓内液通路の注出口から内容液をコップ等に注出するようにした間接飲み用栓体や、ストローの飲み口に直接に口をつけて内容液を飲むようにした直接飲み用栓体などが知られている。【０００３】    前述の間接飲み用栓体や直接飲み用栓体は異なる構造であるため、それらの栓体を嵌脱自在に嵌挿する液体容器の容器本体も異なる構造のものであり、使用目的に応じて別個の液体容器を使い分ける必要があった。換言すれば、従来の液体容器の栓は１つの容器本体に対して間接飲みと直接飲みとに選択して使用することはできないという問題があった。【０００４】    このような問題を解消するため、（ロ）  特開平９−３１３３６３号公報に示された液体容器の栓が知られている。この公報記載の液体容器の栓は、１つの容器本体の栓孔に、間接飲み用の第１液通路と直接飲み用の第２液通路との２系統の液通路を有する１つの栓体を嵌脱自在に嵌挿し、第１液通路を開閉する第１弁体、第２液通路を開閉する第２弁体、第１弁体及び第２弁体の開閉手段として用いる飲み口部材を有しており、前記飲み口部材は外部からの操作により別異の二態様の作動が可能であって、その一態様の作動時に前記第２液通路を閉塞したまま第１液通路を閉塞せしめ、他の一態様の作動時に第１液通路を閉塞したまま前記第２液通路を開閉せしめるようにしてなるものである。【０００５】    上記（ロ）のものによれば、１つの容器本体に１つの栓体を嵌挿して、所定の操作を行なうことにより、間接飲み用と直接飲み用のいずれかに切り替えて使用できるものであるため、従来例（イ）のものに比べて極めて便利なものとなる。
【特許文献１】特開平９−３１３３６３号公報
【発明の開示】
【発明が解決しようとする課題】
【０００６】  しかしながら、前記（ロ）のものでは、第２液通路、第２弁体、飲み口部材及び注ぎ口開閉部材など多数の部品を１つの栓体に組み込まねばならず、部品点数が多くなるばかりか構造が煩雑となるという難点がある。【０００７】  また、第１液通路と第２液通路の開閉は、飲み口部材の上下動、又は回転・スライドなどの別異の作動が必要であるため、使用者が操作する際には煩雑で面倒であるなどの問題がある。【０００８】    本発明は、上記従来例（イ）、（ロ）の問題点を解消しようとするものであり、１つの容器本体の栓孔に差し替え可能な間接飲み用栓体と直接飲み用栓体の二種類の栓体を用いることによって、間接飲みと直接飲みのいずれかを選択して使用できるだけでなく、両栓体は部品点数の増大化を防止できるとともに構造の簡単化が図られ、さらに間接飲みと直接飲みの各操作が、使用者にとって簡単容易で確実に行なえ、使い勝手が良好な液体容器の栓を提供することを目的とする。
【課題を解決するための手段】
【０００９】      上記目的を達成するため、本発明は、容器本体の栓孔に着脱自在に螺着される略筒状の栓本体と、この栓本体内に着脱自在に設けられて栓本体との間で栓内液通路が形成される間接飲み用栓体の第１栓副体及び直接飲み用栓体の第２栓副体と、前記栓内液通路を開閉する共通の弁体とを備え、前記栓本体に対して第１栓副体と第２栓副体とを差し替えることにより、間接飲み用栓体または直接飲み用栓体として選択使用できるとともに、前記弁体は第１栓副体及び第２栓副体に設けた弁開閉機構の操作により作動されて、前記栓内液通路が開閉されるように構成してあることを特徴とする（請求項１参照）。【００１０】  ここで、栓本体は１個で間接飲み用栓体と直接飲み用栓体として共通して使用でき、栓副体は間接飲み用栓体用の第１栓副体と直接飲み用栓体用の第２栓副体とで構成し、前記栓本体に対して前記第１栓副体と第２栓副体とを差し替えることにより、間接飲み用栓体または直接飲み用栓体として選択使用できるように構成してあるので、部品点数が減少できる上に構造が簡単となる。【００１１】  間接飲み用栓体と直接飲み用栓体とを、容器本体の栓孔に嵌挿するとともに該容器本体に固定する構造としては、本発明では特に限定されず任意である。【００１２】  また、本発明は、前記第１栓副体と第２栓副体には、上部に空室を底部に弁棒挿通穴を有するとともに、前記栓本体の空室下部にはガイド筒を立設し、このガイド筒の上部には第１栓副体と第２栓副体のいずれかを選択して取り付け、取り付けられた第１栓副体又は第２栓副体の弁棒挿通穴に前記弁体の弁棒部をバネにより常時上方に付勢して臨ませ、閉弁時には弁体により栓内液通路の下部が閉弁され、前記弁開閉機構の開閉操作により栓内液通路を自動的に開閉されるようにすることができる（請求項２参照）。
【発明の効果】
【００１３】  請求項１の発明によれば、容器本体の栓孔に着脱自在に螺着される１個の栓本体に対して、間接飲み用栓体用の第１栓副体と直接飲み用栓体用の第２栓副体とを差し替えることにより、間接飲み用栓体または直接飲み用栓体として選択使用できて、栓本体が共用できるため、部品点数がより一層少なくでき構造が簡単となる。また、第１栓副体及び第２栓副体に設けた弁開閉機構の操作により、弁体が栓内液通路を簡単に開閉する。【００１４】  請求項２の発明によれば、簡単な構造で上記効果が得られる。
【実施例１】
【００１５】  本発明の第１実施例を図１〜図３に基づいて以下に説明する。【００１６】  この液体容器は、内容器１Ａと外容器１Ｂとの間に断熱空間２を形成した容器本体１と、容器本体１の内容器１Ａの栓孔３をそれぞれ閉塞する間接飲み用栓体２０及び直接飲み用栓体４０と、閉栓状態で前記間接飲み用栓体２０と容器本体１の口部とを被蓋するコップ兼用の外蓋６０とを備えている。【００１７】  前記容器本体１は、金属で形成された有底筒状の内容器１Ａと、同じく金属で形成された底板４を底体５と溶接などで接合した外容器１Ｂとで二重容器を形成し、内外両容器１Ａ、１Ｂ間に形成される隙間を真空排気することにより同隙間を真空の断熱空間２としてあり、容器本体１の栓孔３には間接飲み用栓体２０または直接飲み用栓体４０のいずれかが嵌挿される。【００１８】  前記間接飲み用栓体２０は、図１及び図３に示すように、容器本体１の栓孔３に着脱自在に螺着される略筒状の栓本体２１と、該栓本体２１の空室下部の中央部に立設したガイド筒２２と、このガイド筒２２の上部に選択的に螺合２４により取り付けられる第１栓副体２３と第２栓副体８３と、栓本体２１と栓副体２３との間に形成され容器本体１の内部と外部とを連通する栓内液通路２５と、弁棒部２７ａをガイド筒２２内から弁棒挿通穴２３ｂを介して栓副体２３の空室２３ａ内に臨ませるようにバネ２６で上方に付勢し、かつ前記栓内液通路２５を開閉する弁体２７と、栓副体２３内に設けられ押圧操作により弁体２７を下動して開弁する弁開閉機構２８とを備えている。前記弁開閉機構２８は、押圧板２９と、この押圧板２９と栓副体２３との間に揺動部材３０を介在するとともに、該揺動部材３０の下部には傾斜面ｂを有するリブａが形成されている。従って、外蓋６０を取り外した状態で、弁開閉機構２８の押圧板２９を押し下げることにより揺動部材３０のリブａの傾斜面ｂが弁棒部２７ａを下動し弁体２７が開弁される。この開弁時に容器本体１を傾斜して栓内液通路２５の注出口２５ａから内容液を注出するようにしてある。閉弁時には弁体２７により栓内液通路２５が閉弁される。【００１９】  間接飲み用栓体２０を容器本体１に取り付ける具体的構成を説明すると、図１及び図３に示すように、間接飲み用栓体２０の栓本体２１の外周に形成した雄ねじ２１ａを容器本体１の開口縁に形成した雌ねじ６に螺合する。そして、容器本体１の肩部１ｃに形成した雄ねじ７に外蓋（コップ兼用外蓋）６０の雌ねじ６１を螺合して、前記間接飲み用栓体２０を外蓋（コップ兼用外蓋）６０で被蓋する。【００２０】  なお、図３で、３１は揺動部材３０のバネ、３２はパッキン、３３は折り曲げ可能な把手、３４は吊紐である。【００２１】  次に、直接飲み用栓体４０は、図３において間接飲み用栓体２０や外蓋６０を容器本体１から取り外して、同容器本体１に支障なく取り付けられるものでなければならない。つまり、この直接飲み用栓体４０は、容器本体１の内部と外部とを連通する栓内液通路４９をも形成するストロー等からなる直接飲み部材４８と、前記栓内液通路４９を開閉する弁体２７とを有し、開弁時に直接飲み部材４８の飲み口４８ａに直接に口をつけて内溶液を飲むようにしたものである。【００２２】  この実施例の液体容器の栓は、栓本体２１に、第１栓副体２３または第２栓副体８３を選択して取り付けることにより、液体容器の栓として、間接飲み用栓体２０又は直接飲み用栓体４０に使い分けることができる。【００２３】    すなわち、前記間接飲み用栓体２０と直接飲み用栓体４０はいずれも栓本体２１と栓副体とで分離可能に形成し、栓本体２１は１個で間接飲み用栓体２０と直接飲み用栓体４０として共通して使用でき、栓副体は間接飲み用栓体２０用の第１栓副体２３と直接飲み用栓体４０用の第２栓副体８３とで構成してある。そして、前記栓本体２１に対して前記第１栓副体２３と第２栓副体８３とを差し替えることにより、間接飲み用栓体２０または直接飲み用栓体４０として選択使用できるように構成してある。【００２４】  直接飲み用栓体４０は、栓本体として前記間接飲み用栓体２０の栓本体２１を共用し、この栓本体２１に第２栓副体８３を着脱自在に取り付けたものである。この場合の第２栓副体８３は、本発明では特に限定しないで適宜設計変更できるものであるが、この第１実施例では図２に示されてるように、図１に示した第１栓副体２３の上部外周縁にスカート部４５の基端を一体に形成し、該スカート部４５を外方へ拡開して垂設しているとともに、スカート部４５の一部に図４に示す如き直接飲み部材４８を突設してなり、その他は第１栓副体２３と同一構成としている。なお、図２で８５はキャップである。【００２５】  この第２栓副体８３には、図４に示すような、揺動部材７０や第１、第２の直接飲み部材４８Ａ、４８Ｂは構成されていず、飲み口４８ａは飛び上がるものではなく固定式である。【００２６】  この第１実施形態によれば、本願の液体容器の使用者の立場から言えば、通常は、栓本体２１に第１栓副体２３を結合して間接飲み用栓体２０として使用し、必要に応じて栓体を直接飲みに切り替えたいときには、前記第１栓副体２３を栓本体２１から取り外してから、該栓本体２１に第２栓副体８３を結合して容器本体１の栓孔３に嵌挿するとよい。従って、この液体容器の栓は栓本体２１を１個と第１栓副体２３を１個と第２栓副体８３を１個の合計３個を１組として１つの液体容器に備えておくことにより、前述のように２つの使用態様に切り替えられる。また、本願の液体容器の栓の生産者の立場から言えば、１個の栓本体２１を間接飲み用栓体２０と直接飲み用栓体４０とに共用して、各々の栓本体を必要としないため、部品が省略できるとともに栓体の製造費用が安価にできる。
また、第１実施形態の場合も、図３のように使用することができるのは勿論である。
【実施例２】
【００２７】  本発明の第２実施例を図４と図５に基づいて以下に説明する。【００２８】  この第２実施例は、前記第１実施例の変形例と言えるものであって、両者は直接飲み用栓体の構造のみが異なり、間接飲み用栓体や容器本体その他の構造は第１実施例のものと同一であるので、図１及び図３に対応する図面は省略した。従って、本実施形態においては、間接飲み用栓体や容器本体等は図１及び図３を参照すべきである。
弁体４７は、ばね受４２ｂと弁体ガイド筒４２の内底面間に設けた弁体用ばね４２ａで常時は閉弁方向（上方向）に付勢されている。【００２９】  この場合の直接飲み用栓体４０は、弁体４７の開閉と直接飲み部材４８の出没とを押しボタン方式で同時に行なうものである。【００３０】  すなわち、この場合の栓本体４１の上部空室には、直接飲み部材４８と、直接飲部材４８の飲み口４８ａを開閉するとともに弁体４７を下動して開弁する揺動部材７０と、揺動部材７０を作動する押しボタン７６が設けてある。【００３１】  直接飲み部材４８は、下端が直接飲み部材ガイド筒４３の上端を嵌挿するとともに、下部外周壁に鍔部４８ｂを形成した第１直接飲み部材４８Ａと、該第１直接飲み部材４８Ａの上部を外嵌めして同第１直接飲み部材４８Ａより上動されるとともに、先端に飲み口４８ａを有する第２直接飲み部材４８Ｂとからなっている。【００３２】  揺動部材７０は、断面が略しゃくし状のものであって、一端側には第１直接飲み部材４８Ａと第２直接飲み部材４８Ｂとが二重管状態時において飲み口４８ａを封止するシール部７１を形成し、他端側には押しボタン７６で下動される作動部７２とを有し、枢支点７３を回動中心として該揺動部材７０が回動されるようになっている。【００３３】  この押しボタン式の直接飲み用栓体４０の作動について以下に説明する。
図４は閉弁状態であって、直接飲み部材４８が揺動部材７０のシール部７１で封止されているので、飲み口４８ａに口をつけて内溶液を飲むことはできない。
この図４の閉弁状態において、押しボタン７６を押すと、揺動部材７０の他端部の作動部７２が枢支点７３を回動中心として時計方向に回動されるに伴い、図５に示すように、弁体４７が下動され開弁される。それと同時に揺動部材７０のシール部７１は前記枢支点７３を回動中心として時計方向に回動されて飲み口４８ａが開放される。そこで飲み口４８ａに口をつけて容器本体１内の内容液を飲むことができる。このとき、直接飲み部材４８は、第１直接飲み部材４８Ａは常時に栓体上方に突出されているが、この第１直接飲み部材４８Ａの高さ位置より第２直接飲み部材４８Ｂを手で上方へ引き上げると図１３のように更に高くなるので、飲み易くなる。【００３４】  この開弁状態から図４の如く閉弁状態とするには、第２直接飲み部材４８の上端面を第１直接飲み部材４８Ａの上端面と同一面となるように、該第２直接飲み部材４８Ｂを押し下げて、揺動部材７０のシール部７１が前記第１、２の直接飲み部材４８Ａ、４８Ｂの上端面を密着するまで反時計方向に回動する。すると、揺動部材７０の作動部７２によって弁体用ばね４２ａに抗して開弁されていた弁体４７が、図１２のように、弁体用ばね４２ａの付勢力によって上動し、栓内液通路４９をも構成する直接飲み部材４８の入口を閉弁し閉弁状態となる。【００３５】  外蓋６０又は直接飲み用栓体４０の雌ねじ６１、４５ａが螺合される雄ねじ７は、各実施例では、容器本体１の肩部位置に無理嵌め等により固定した別部材の肩部１ｃに形成しているが、例えば、前記別部材の肩部１ｃを設けずに容器本体１の外容器１Ｂの首部外周に雄ねじ７を形成する構成も実施できる。【００３６】  間接飲み用栓体２０は、例えば、本出願人の出願に係る実開平５−８８４５２号公報記載の栓体、実開平２−２５９５３号公報記載の栓体などでもよいし、少なくとも栓内液通路と弁体とを有しているものであればその他の構造のものでもよく、適宜設計変更できる。【００３７】  直接飲み用栓体４０は、押しボタン式に限らず、回動式その他適宜設計変更できる。【００３８】  間接飲み用栓体２０と直接飲み用栓体４０とを、選択して、容器本体１に固定する手段としては、各実施例に示した容器本体１の肩部１ｃに形成した雄ねじ７に、間接飲み用栓体２０の外蓋６０の雌ねじ６１を螺合できるだけでなく、同雄ねじ７に直接飲み用栓体４０の雌ねじ４５ａを螺合できるようにしているが、このような螺合方式に限らずその他の固定方式を採用することもできる。
【図面の簡単な説明】
【００３９】
【図１】第１実施例における間接飲み用栓体を閉弁した状態の一部断面図である。
【図２】第１実施例における直接飲み用栓体を閉弁した状態の一部断面図である。
【図３】図１の栓体を含む液体容器の全体を示した断面図である。
【図４】第２実施例における直接飲み用栓体を閉弁した状態の一部断面図である。
【図５】図４における弁体を開放した状態の一部断面図である。
【符号の説明】
【００４０】１              容器本体
１ｃ            肩部
３              栓孔
６              雌ねじ
７              雄ねじ
８              雄ねじ
１０            収納凹部
２０            間接飲み用栓体
２１            栓本体
２１ａ          雄ねじ
２３            栓副体（第１栓副体）
２５            栓内液通路
２５ａ          注出口
２７            弁体
３０            揺動部材
４０            直接飲み用栓体
４１            栓本体
４２ａ          弁体用ばね
４４ａ          雄ねじ
４５ａ          雌ねじ
４５ｂ          雄ねじ
４７            弁体
４８            直接飲み部材
４８ａ          飲み口
４９            栓内液通路
５０            スライダー
６０            外蓋
６１            雌ねじ
６３            第２の外蓋
６４            雌ねじ
７０            揺動部材
７１            シール部
７２            作動部
７６            押しボタン
８３            第２栓副体
【図１】
2004202273.tif 000003
【図２】
2004202273.tif 000004
【図３】
2004202273.tif 000005
【図４】
2004202273.tif 000006
【図５】
2004202273.tif 000007